(57)【要約】【課題】多孔質鉱物を用いた空気清浄フィルタであって、使用者による加工が容易に行える空気清浄フィルタを提供する。【解決手段】本考案の空気清浄フィルタ１は、吸着材１１と、吸着材１１を担持するシート状部材１３とを備えている。吸着材１１は、粉末又は粒状の多孔質鉱物、或いは、多孔質鉱物を含む粉末又は粒状のセラミックスである。吸着材１１は、シート状部材１３の少なくとも一方の主面に付着しており、シート状部材１３は、容易に変形可能である。シート状部材１３は、通気性を有する材料で形成されているか、シート状部材１３には複数の貫通孔が開けられている。空気清浄フィルタ１は、例えば、筒状に形作られてよく、又は、螺旋状に巻かれてよい。【選択図】図１
0003231783.tif 000002
【実用新案登録請求の範囲】
【請求項１】
吸着材と、前記吸着材を担持するシート状部材とを備えており、
前記吸着材は多孔質鉱物又は多孔質鉱物を含むセラミックスであり、
前記吸着材は、前記シート状部材の少なくとも一方の主面に付着しており、
前記シート状部材は容易に変形可能である、空気清浄フィルタ。
【請求項２】
前記シート状部材は通気性を有する材料で形成されている、請求項１に記載の空気清浄フィルタ。
【請求項３】
前記シート状部材には複数の貫通孔が開けられている、請求項１又は請求項２に記載の空気清浄フィルタ。
【請求項４】
前記吸着材は、粉末又は粒状の多孔質鉱物、或いは、多孔質鉱物を含む粉末又は粒状のセラミックスである、請求項１乃至３の何れかに記載の空気清浄フィルタ。
【請求項５】
前記吸着材に混ぜられた粉末又は粒状の金属又は金属化合物を備えており、前記金属又は金属化合物は抗ウイルス作用を有する、請求項１乃至４の何れかに記載の空気清浄フィルタ。
【請求項６】
前記金属又は金属化合物は銅である、請求項５に記載の空気清浄フィルタ。
【請求項７】
筒状に形作られている又は螺旋状に巻かれている、請求項１乃至６の何れかに記載の空気清浄フィルタ。
【請求項８】
１又は複数の空気清浄フィルタを有しており、各空気清浄フィルタは、請求項１乃至７の何れかに記載の空気清浄フィルタである、空気清浄機。
【請求項９】
空気が流れる管路と、前記管路内に直列に配置された複数のフィルタアセンブリとを備えており、
各フィルタアセンブリは、請求項７に記載の複数の空気清浄フィルタで構成されており、
前記複数のフィルタアセンブリは、前記管路の長さ方向に互いに離間して配置されている、空気清浄機。
【請求項１０】
少なくとも１組の隣接するフィルタアセンブリの間に邪魔板が配置されている、請求項９に記載の空気清浄機。
【請求項１１】
各フィルタアセンブリは、請求項７に記載の複数の空気清浄フィルタを束ねて構成されており、
各複数の空気清浄フィルタは、各円筒状に形作られており、
各フィルタアセンブリの複数の空気清浄フィルタは、そのフィルタアセンブリの一端側から見て、それら空気清浄フィルタの円状の端部が最密配置されるように束ねられている、請求項９又は請求項１０に記載の空気清浄機。
【請求項１２】
少なくとも１組の隣接するフィルタアセンブリの中心軸は同一直線上に配置されており、
前記１組の隣接するフィルタアセンブリの一方のフィルタアセンブリは、前記１組の隣接するフィルタアセンブリの他方のフィルタアセンブリに対して前記直線回りに所定の角度だけずらされて配置されている、請求項１１に記載の空気清浄機。
【考案の詳細な説明】
【技術分野】
【０００１】
本考案は、吸着材として多孔質鉱物を用いた空気清浄フィルタと、このような空気清浄フィルタを備える空気清浄機とに関する。
【背景技術】
【０００２】
空気中の異臭、花粉、ハウスダスト、ウイルス等を除去するための空気清浄フィルタとして、ゼオライト、珪藻土、花崗岩（の一種）などの多孔質鉱物を吸着材として用いたフィルタが知られている。
【考案の概要】
【考案が解決しようとする課題】
【０００３】
上記の空気清浄フィルタにおいては、粉末又は粒状の多孔質鉱物を袋体に入れたものや板状又は円筒状に固めたものが存在している。このような空気清浄フィルタは形状の自由度に乏しく、適用可能な装置や環境が制限されることから、既存の装置や環境に合った形態に使用者が空気清浄フィルタを加工することは難しい。
【０００４】
コロナウイルスが世界中に蔓延したことに伴い、家庭、職場、学校等において既存の装置や設備に対して空気清浄機能を付与すること、又は、既存の装置や設備の空気清浄機能を増強するニーズが生じているが、多孔質鉱物を袋体に入れた空気清浄フィルタや多孔質鉱物を固めた空気清浄フィルタでは、このようなニーズに対応することは困難である。
【０００５】
本考案は、上記の課題を解決するものであり、多孔質鉱物を用いた空気清浄フィルタであって、使用者による加工が容易に行える空気清浄フィルタと、このような空気清浄フィルタを用いた空気清浄機とを提供する。
【課題を解決するための手段】
【０００６】
本考案の空気清浄フィルタは、前記吸着材を担持するシート状部材とを備えており、前記吸着材は多孔質鉱物又は多孔質鉱物を含むセラミックスであり、前記吸着材は、前記シート状部材の少なくとも一方の主面に付着しており、前記シート状部材は、容易に変形可能であることを特徴とする。
【０００７】
本考案の空気清浄フィルタでは、前記シート状部材は通気性を有する材料で形成されてよい。
【０００８】
本考案の空気清浄フィルタでは、前記シート状部材には複数の貫通孔が開けられてよい。
【０００９】
本考案の空気清浄フィルタでは、前記吸着材は、吸着材は、粉末又は粒状の多孔質鉱物、或いは、多孔質鉱物を含む粉末又は粒状のセラミックスであってよい。
【００１０】
本考案の空気清浄フィルタは筒状に形作られてよく、又は螺旋状に巻かれてよい。
【００１１】
本考案の空気清浄機は、１又は複数の空気清浄フィルタを有しており、各空気清浄フィルタは、上述の本考案の空気清浄フィルタの何れかである。
【００１２】
本考案の空気清浄機は、空気が流れる管路と、前記管路内に直列に配置された複数のフィルタアセンブリとを備えてよく、各フィルタアセンブリは、各々が略円筒状に形作られている又は螺旋状に巻かれている複数の空気清浄フィルタで構成されてよく、前記複数のフィルタアセンブリは、前記管路の長さ方向に互いに離間して配置されてよい。
【００１３】
本考案の空気清浄機では、少なくとも１組の隣接するフィルタアセンブリの間に、邪魔板が配置されてよい。
【００１４】
本考案の空気清浄機では、各フィルタアセンブリは、本考案の複数の空気清浄フィルタを束ねて構成されており、各複数の空気清浄フィルタは、各円筒状に形作られており、各フィルタアセンブリの複数の空気清浄フィルタは、そのフィルタアセンブリの一端側から見て、それら空気清浄フィルタの円状の端部が最密配置されるように束ねられてよい。
【００１５】
本考案の空気清浄機では、少なくとも１組の隣接するフィルタアセンブリの中心軸は同一直線上に配置されており、前記１組の隣接するフィルタアセンブリの一方のフィルタアセンブリは、前記１組の隣接するフィルタアセンブリの他方のフィルタアセンブリに対して前記同一直線回りで所定の角度だけずらされて配置されてよい。
【考案の効果】
【００１６】
本考案の空気清浄フィルタでは、多孔質鉱物である吸着材をシート状部材に担持することで、切断や折り畳み等によるサイズ調整を容易に行うことができる。そして、シート状部材が容易に変形可能であることで、使用者は、使用目的や使用環境に合うように空気清浄フィルタを手で又は手動で所望の形状に変形させることができる。
【図面の簡単な説明】
【００１７】
【図１】図１は、本考案の一実施形態である空気清浄フィルタを示す斜視図である。
【図２】図２は、図１に示す空気清浄フィルタの製造方法を示す説明図である。
【図３】図３は、本考案の一実施形態である別の空気清浄フィルタを示す斜視図である。
【図４】図４は、円筒状に形作られた本考案の空気清浄フィルタを示す斜視図である。
【図５】図５は、螺旋状に巻かれた本考案の空気清浄フィルタを示す斜視図である。
【図６】図６は、本考案の空気清浄フィルタを用いたフィルタアセンブリを示す斜視図である。
【図７】図７は、本考案の空気清浄フィルタを用いた別のフィルタアセンブリを示す斜視図である。
【図８】図８は、本考案の空気清浄フィルタを用いた空気清浄機の実施形態を示す斜視図である。
【図９】図９は、本考案の空気清浄フィルタを用いた空気清浄機の別の実施形態を示す斜視図である。
【図１０】図１０は、本考案の空気清浄フィルタを用いた空気清浄機の更に別の実施形態を示す分解斜視図である。
【図１１】図１１は、本考案の一実施形態である空気清浄フィルタの製造方法を示す斜視図である。
【考案を実施するための形態】
【００１８】
以下、本考案について、図を用いて説明する。図１は、本考案の第１の実施形態である空気清浄フィルタ１を示す斜視図である。空気清浄フィルタ１は、吸着材１１と、吸着材１１を担持するシート状部材１３とを備えている。吸着材１１は、シート状部材１３の少なくとも一方の主面に付着している。
【００１９】
吸着材１１には、多孔質鉱物又は多孔質鉱物を含むセラミックスが用いられる。多孔質鉱物を含むセラミックスは、例えば、粉末又は粒状の多孔質鉱物に添加剤を加えて焼結等の処理を行って得られる。本考案で用いられる多孔質鉱物（又はセラミックスに含まれる多孔質鉱物）の例には、ゼオライト、珪藻土、花崗岩の一種である麦飯石などがあるが、本考案の空気清浄フィルタが所望の作用効果を発揮する限りにおいて、多孔質鉱物はこれらに限定されない。
【００２０】
吸着材１１として使用される多孔質鉱物又は多孔質鉱物を含むセラミックスは、その塊を粉砕機や製粉機等の公知の手段を用いて処理することで、粉末又は粒状にされていることが好ましい。粉末又は粒状にされた吸着材１１の粒径は、例えば数十μｍ乃至数ｍｍにされるが、本考案が実施可能な限りにおいて制限されない。
【００２１】
麦飯石は、本考案における多孔質鉱物（又はセラミックスに含まれる多孔質鉱物）として好適に使用されるが、熱処理した麦飯石は、臭いやウイルス等の汚染物質に対する吸着性が向上することから、本考案においてより好適に使用される。熱処理は、例えば、麦飯石を１００℃乃至４４０℃に加熱して５分程度保持して自然放熱させることで行われる。熱処理した麦飯石を吸着材１１として使用した本考案に基づく空気清浄フィルタ１についてＢＦＥ試験及びＶＦＥ試験が行われて、９９．８％のバクテリア飛沫捕集効率と９９．８％のウイルス飛沫捕集効率とが確認されている。このような熱処理を施された麦飯石としては、例えば、栄光通商株式会社が販売するライフストーン（登録商標）が使用できる。
【００２２】
本考案は、シート状部材１３が容易に変形可能であることを特徴とする。容易に変形可能であるとは、人の手による入力で又は手動で容易に変形可能ことを意味する。このようなシート状部材１３としては、例えば、紙製シート、合成樹脂製シート、不織布製シート、金属製シートなどがあるが、本考案が実施可能な限りにおいて、シート状部材１３の材料は制限されない。シート状部材１３は通気可能であってよく、シート状部材１３のこの通気可能性は、シート状部材１３を通気性材料で形成することでもたらされてよく、又は、後述するようにシート状部材１３に貫通孔１５を開けることでもたらされてよい（図３参照）。通気性材料としては、和紙、不織布などがある。
【００２３】
シート状部材１３は、常温では容易に変形可能ではないが、所定の条件又は環境下において容易に変形可能になるような材料で形成されてよい。このような材料の例には、加熱によって軟化する熱可塑性樹脂や、光や熱などの外部環境によって特性が変化する環境応答性ポリマーなどがある。使用者に提供される際におけるシート状部材１３の形状は通常、図１に示すように長方形にされるであろうが、本考案において、シート状部材１３の形状は限定されない。
【００２４】
図２は、図１の空気清浄フィルタ１の製造方法を示す説明図である。吸着材１１をシート状部材１３に付着させる手段としては、接着剤１７が使用される。例えば、吸着材１１を付着させるシート状部材１３の一方の主面に、液状の接着剤１７を噴霧して塗布した後に、粉末又は粒状の吸着材１１をシート状部材１３の主面に付着させ、接着剤１７を乾燥固化させる。この際、粉末又は粒状の吸着材１１は、接着剤１７が塗布された主面に振り掛けられる。吸着材１１は、好ましくは、シート状部材１３の主面にわたって（主面が隠れるように）一様に又は均等に振り掛けられる。振り掛けられた吸着材１１の全てがシート状部材１３の主面に付着する必要はないことは明らかである。なお、図１及び図２では、黒点で示された吸着材１１が分散している模様が示されているが、このような吸着材１１の図的表現は、あくまで本考案の概念の説明を目的としたものであって、現実に実施される本考案の空気清浄フィルタ１の形態を描写するものではないことは明らかである（図１及び図２以外の図においても同様）。
【００２５】
本考案の空気清浄フィルタ１が製造できる限りにおいて、シート状部材１３の材料に応じた任意の接着剤１７を使用できるが、本考案では、例えば、乾燥して固化した後に多孔質になるようなポリビニルアルコール（ＰＶＡ）系接着剤が使用されてよい。シート状部材１３が通気性を有していない場合には、図２に示すように接着剤１７を噴霧するのではなく、シート状の接着剤がシート状部材１３の主面に貼られてもよい。また、接着剤１７でコーティングされることによる吸着材１１の吸着性能の低下が問題にされない場合であれば、粉末又は粒状の吸着材１１と接着剤１７とを混合したものを、シート状部材１３の主面に塗り着ける手法も可能であろう。
【００２６】
図３は、本考案の第２の実施形態である空気清浄フィルタ１を示す斜視図である。本実施形態の空気清浄フィルタ１では、複数の貫通孔１５が開けられたシート状部材１３の主面に吸着材１１が付着している。シート状部材１３は、通気性を有していない材料で形成されてよく、例えば、アルミニウムやステンレス製の薄いパンチングメタルであってよい。通気性を有している材料で形成されているシート状部材１３に貫通孔１５が設けられてよく、例えば、シート状部材１３は、複数の貫通孔１５が開けられた和紙であってよい。
【００２７】
図３に示す空気清浄フィルタ１では、円状の貫通孔１５を開けることによってシート状部材１３を通気可能としているが、シート状部材１３を網状に形成することでシート状部材１３に多数の貫通孔１５又は開口がもたらされてよい。
【００２８】
図１又は図３に示された空気清浄フィルタ１は、使用者が必要に応じて切断等の処理を行うことで、所望の大きさに調節すること、更に、使用目的や使用環境に合った所望の形状に変形させることが容易に行える。例えば、使用者が、既存の空気清浄機に空気清浄フィルタ１を付加する場合や既存の送風機に空気清浄フィルタ１を付加して簡易な空気清浄機を作製する場合において、既存の空気清浄機又は送風機に合った形態に空気清浄フィルタ１を変更することが容易に行える。
【００２９】
図１又は図３に示された空気清浄フィルタ１は、湾曲又は折り曲げが容易に行える。例えば、空気清浄フィルタ１は、図４に示すように筒状にして使用されてよい。シート状部材１３が変形後の形状保持性又は可塑性を有していない場合（例えば、紙製シートである場合）、筒状の形状を維持するために、接着剤、接着テープ、輪ゴム、紐等の固定又は拘束手段（図示せず）が使用される。
【００３０】
図４に示す例では、空気清浄フィルタ１は円筒状にされているが、空気清浄フィルタ１は三角筒、四角筒、五角筒などの多角形筒状にされてもよい。また、図４に示す例では、吸着材１１が付着した方のシート状部材１３の主面が内側になるように、空気清浄フィルタ１は筒状にされているが、当該主面が外側になるように、空気清浄フィルタ１は筒状にされてよく、シート状部材１３の両面に吸着材１１が付着した空気清浄フィルタ１が筒状にされてもよい。
【００３１】
また、円柱又は多角柱状の型（図示せず）の周りに空気清浄フィルタ１をシート状部材１３が多重に重なるように巻回させ、必要に応じて固定又は拘束手段を用いて空気清浄フィルタ１の形状を保持した後に、型を抜き出すことで、筒状に巻回した空気清浄フィルタ１が得られてもよい。
【００３２】
シート状部材１３が変形後の形状保持性又は可塑性を有している場合（例えば、金属製シートである場合）には、空気清浄フィルタ１は、図５に示すように螺旋状に巻かれて使用されてもよい。このような変形は、例えば、空気清浄フィルタ１に可撓性を有するシート状のスペーサーを重ねた状態で空気清浄フィルタ１を巻いた後にスペーサーを除去することで達成される。
【００３３】
図５では、吸着材１１が付着した方のシート状部材１３の主面が内側になるように、空気清浄フィルタ１は巻かれているが、当該主面が外側になるように、空気清浄フィルタ１が巻かれてよく、シート状部材１３の両面に吸着材１１が付着した空気清浄フィルタ１が図５に示すように螺旋状に巻かれてもよい。
【００３４】
本考案の複数の空気清浄フィルタ１を組み合わせることで、フィルタアセンブリが作製されてよい。例えば、筒状にされた複数の空気清浄フィルタ１を束ねることで、フィルタアセンブリ２が構成されてよい。図６に示す例では、円筒状にされた３つの空気清浄フィルタ１を紐等の拘束手段（図示せず）を用いて束ねることでフィルタアセンブリ２が構成されている。３つの空気清浄フィルタ１は、フィルタアセンブリ２の一端側から見て、空気清浄フィルタ１の円状の端部が最密配置（又は最密充填配置）されるように束ねられる。本考案において、フィルタアセンブリ２を構成するために束ねられる空気清浄フィルタ１の数は限定されず、例えば、円筒状にされた７つの空気清浄フィルタ１が、上記のような最密配置で束ねられてよい（図９参照）。
【００３５】
また、図７に示すように、（図４に示すように）筒状にされた複数の空気清浄フィルタ１を紐等の連結手段（図示せず）を用いて簾状に連結することで、フィルタアセンブリ３が構成されてよい。図７に示す例では、筒状にされている空気清浄フィルタ１の両面に吸着材１１が付着している。このようなフィルタアセンブリ３の場合、各空気清浄フィルタ１のシート状部材１３は通気性を有する材料で形成されているか、各空気清浄フィルタ１のシート状部材１３に図３に示すような貫通孔１５が形成されているであろう。
【００３６】
図１、図３乃至図５に示した空気清浄フィルタ１と、図６に示したフィルタアセンブリ２、図７に示したフィルタアセンブリ３とは、ファン等の送風手段と組み合わせて使用されるか、或いは、空気の流路に配置されてよい。空気の流れに対する空気清浄フィルタ１の向き又は姿勢は適宜調整されてよく、図１及び図３に示した空気清浄フィルタ１を平らなまま使用する場合には、例えば、空気清浄フィルタ１の主面に対して概ね垂直に空気流れが向かうように空気清浄フィルタ１は配置されるであろう。また、図７に示すフィルタアセンブリ３は、例えば、筒状にされた各空気清浄フィルタ１の側面に空気流れがぶつかるように配置されるであろう。
【００３７】
図４に示す筒状にされた空気清浄フィルタ１、図５に示す螺旋状に巻かれた空気清浄フィルタ１、及び、図６に示したフィルタアセンブリ２は、筒状又は螺旋状の空気清浄フィルタ１の一端側から他端側へと、空気清浄フィルタ１内を通って空気流れが流れるように配置されてよい（図８及び図９参照）。この場合、図３に示すような貫通孔１５が空気清浄フィルタ１に設けられていると、空気清浄フィルタ１内を通る空気流れが貫通孔１５により乱れて、吸着材１１に当たる空気が増すことで、空気清浄フィルタ１の吸着機能が高められる。図４に示す筒状にされた空気清浄フィルタ１、図５に示す螺旋状に巻かれた空気清浄フィルタ１、及び、図６に示したフィルタアセンブリ２は、シート状部材１３が通気性を有する材料で形成されているか、シート状部材１３に図３に示すような貫通孔１５が形成されている場合には、空気清浄フィルタ１又はフィルタアセンブリ２に空気流れが外側からぶつかるように配置されてもよい。
【００３８】
図８に、図６に示すフィルタアセンブリ２を用いた空気清浄機５を示す。空気清浄機５は、空気が流れる管路を規定する円筒状のハウジング５１（その外形を一点鎖線で概略的に示す）と、ハウジング５１内に配置されたファン５３と、２つのフィルタアセンブリ２とを備えている。ファン５３は、ハウジング５１の一端側に配置されており、外部の空気をハウジング５１内に導入するように駆動する。図８では、空気の大まかな流れが白抜きの矢印で示されている（図９及び図１０も同様）。図８に示した例では、ファン５３が設けられたハウジング５１の一端側から導入された空気は、ファン５３に対して下流側に配置された２つのフィルタアセンブリ２を通って浄化された後にハウジング５１の他端側から排出される。
【００３９】
２つのフィルタアセンブリ２は、これらフィルタアセンブリ２を構成する円筒状にされた空気清浄フィルタ１がハウジング５１の長手方向に沿うように配置されており、円筒状の空気清浄フィルタ１に導入された空気は吸着材１１と触れることで浄化される。２つのフィルタアセンブリ２は、ハウジング５１の長手方向に離間して配置されており、これらフィルタアセンブリ２の間には、ハウジング５１内の空気流を乱す邪魔板５５が配置されている。邪魔板５５によりハウジング５１内の空気流が乱されることで、空気と吸着材１１との接触が促進されて、空気清浄機５の空気浄化機能が向上する。
【００４０】
図８に示す例では、２つのフィルタアセンブリ２の中心軸は同一直線Ｌ（図８に示す例では、ハウジング５１が規定する管路の中心線でもある）上に配置されており、一方のフィルタアセンブリ２は、他方のフィルタアセンブリ２に対して直線Ｌ回りに６０°の角度だけずれて配置されている。このように隣接する２つのフィルタアセンブリ２が互いに対して直線Ｌ回りにずれて配置されていることで、ハウジング５１内の空気流が乱され、空気清浄機５の空気浄化機能が向上する。
【００４１】
図９に示す例では、各フィルタアセンブリ２は、各々が円筒状にされた７つの空気清浄フィルタ１を束ねて構成されている。７つの空気清浄フィルタ１は、フィルタアセンブリ２の一端側から見て、７つの空気清浄フィルタ１の円状の端部が六方最密配置されるように束ねられている。一方のフィルタアセンブリ２は、他方のフィルタアセンブリ２に対して直線Ｌ回りに３０°の角度だけずれて配置されている。円筒状にされた９つの空気清浄フィルタ１を束ねてフィルタアセンブリ２が構成される場合、これら空気清浄フィルタ１は、フィルタアセンブリ２の一端側から見て、９つの空気清浄フィルタ１の円状の端部が正方配置されるように束ねられる。
【００４２】
図８及び図９に示す例では空気清浄機５に設けられるフィルタアセンブリ２の数は２つであるが、フィルタアセンブリ２の数は２つに限定されず、１つ又は３つ以上であってよい。３つ以上のフィルタアセンブリ２が設けられる場合も、これらフィルタアセンブリ２は、ハウジング５１の長さ方向に互いに離間するように配置されることが好ましい。図８及び図９と同様に、任意の隣接するフィルタアセンブリ２の間には、邪魔板５５が配置されてよい。また、図８及び図９と同様に、隣接する一組のフィルタアセンブリの一方のフィルタアセンブリ２は、他方のフィルタアセンブリ２に対して直線回りで所定の角度だけずらされて配置されてよい。
【００４３】
図１０は、本考案の別の実施形態である空気清浄機６を示す分解斜視図である。空気清浄機６は、円筒状にされた空気清浄フィルタ１と、その一方の端部を塞ぐ底板６１と、空気清浄フィルタ１の内部に配置されるように底板６１に設けられたファン６３と、円筒状にされた空気清浄フィルタ１の他方の端部側から空気清浄フィルタ１を覆うカバー部材６５とを備えている。カバー部材６５は、円状の頂部と、当該頂部の周縁部から伸びる円筒部とを備えている。頂部におけるファン６３上方の領域と、円筒部の少なくとも一部の領域とは、例えば網状に形成されることで、通気可能に構成されている。
【００４４】
円筒状にされた空気清浄フィルタ１の内面には吸着材１１が付着している。本実施形態では、空気清浄フィルタ１のシート状部材１３は通気可能ではない。ファン６３が駆動すると、カバー部材６５を介して外部から流入した空気は底板６１から空気清浄フィルタ１の内面へと流れて、吸着材１１で浄化される。吸着材１１で浄化された空気は、カバー部材６５の頂部から円筒部と流れて、外部に排出される。
【００４５】
本実施形態では、例えば、円筒状にされた空気清浄フィルタ１の直径は数十ｃｍにされ、その空気清浄フィルタ１の高さはその半分程度にされる。このような形態の空気清浄フィルタ１は、シート状部材１３を円筒状に変形させた後に、その内面に吸着材１１を付着させることで得られてよく、予め円筒状に形成された部材の内面に吸着材１１を付着させることで得られてもよい。
【００４６】
上述したように、空気清浄フィルタ１における粉末又は粒状の吸着材１１の粒径は、例えば数十μｍ乃至数ｍｍにされるが、吸着材１１の粒径が使用環境に応じた大きさであるような空気清浄フィルタ１が適宜選択されて使用されてよい。例えば、図１０に示す空気清浄機６において内部を流れる空気の流量が比較的大きい場合には、吸着材１１の粒径は数ｍｍ程度であって、剥離による外部への吸着材１１の吹き出しが抑制されることが好ましいであろう。
【００４７】
吸着材１１の粒径が比較的大きい場合、シート状部材１３の主面に吸着材１１を密に付着させると、その主面を内側にして空気清浄フィルタ１を筒状に変形させることが困難になり得ることから、例えば、粒径が大きい吸着材１１をシート状部材１３の主面に疎らに付着させた後に、粒径が小さい吸着材１１を主面の空き領域に付着させた空気清浄フィルタ１が使用者に提供されてよい。このように、付着させる吸着材１１の粒径の分布やシート状部材１３の主面上における吸着材１１の密度等が異なる種々の空気清浄フィルタ１を使用者に提供することで、更には、材料の通気性の有無や程度、通気孔５の有無や形状等が異なる様々なシート状部材１３を用いた空気清浄フィルタ１を使用者に提供することで使用者が目的に応じた適切な空気清浄フィルタ１を選択することが可能となる。
【００４８】
本考案の空気清浄フィルタ１を他の種類のフィルタと組み合わせられてよい。例えば、空気清浄フィルタ１の吸着材１１を付着させた主面を覆うように、マスク等で使用されている不織布フィルタが空気清浄フィルタ１に固定されてよい。また、円筒状の不織布フィルタの中に、円筒状に湾曲させた空気清浄フィルタ１を挿入することで、この不織布フィルタをフィルタ兼拘束手段として用いてもよい。
【００４９】
本考案の空気清浄フィルタ１では、抗ウイルス作用を有する金属又は金属化合物が吸着材１１に混合されて、吸着材１１と共にシート状部材１３に担持されてよい。抗ウイルス作用を有する金属としては、銅、銀、亜鉛、白金等が知られており、抗ウイルス作用を有する金属化合物としては、これら金属の化合物（例えば、亜酸化銅、酸化亜鉛など）が知られている。抗ウイルス作用を有する金属又は金属化合物を吸着材１１に加えることで、吸着材１１に捕捉されたウイルスを不活性化させることができる。加えられる金属又は金属化合物は、粉末又は粒状であることが好ましい。
【００５０】
図１１は、本考案の第３の実施形態である空気清浄フィルタ１の製造方法を示す斜視図である。第３の実施形態の空気清浄フィルタ１は、図１に示した第１の実施形態の空気清浄フィルタ１に対して、抗ウイルス作用を有する銅粉末１９が吸着材１１に混合されている点で異なっている。図２を用いて説明した第１の実施形態の空気清浄フィルタ１と同様に、吸着材１１及び銅粉末１９シート状部材１３に付着させる手段としては接着剤１７が使用されており、吸着材１１と銅粉末１９が混合された後に、その混合物が、接着剤１７が塗布されたシート状部材１３の主面にわたって振り掛けられる。吸着材１１と銅粉末１９の粒径は適宜調整されるが、例えば、吸着材１１の粒径は例えば３００メッシュ程度にされ、銅粉末１９の粒径はそれよりも大きくされる。
【００５１】
図３乃至図１０を用いて説明した本考案のその他の実施形態においても、銅粉末１９のような抗ウイルス作用を有する金属又は金属化合物と吸着材１１の混合物が使用されてよいことは理解される。
【００５２】
上記実施形態の説明は、本考案を説明するためのものであって、実用新案登録請求の範囲に記載の考案を限定し、或いは範囲を減縮する様に解すべきではない。また、本考案の各部構成は上記実施形態に限らず、実用新案登録請求の範囲に記載の技術的範囲内で種々の変形が可能であることは勿論である。
【符号の説明】
【００５３】
１  空気清浄フィルタ
１１  吸着材
１３  シート状部材
１５  貫通孔
１９  銅粉末
２  フィルタアセンブリ
３  フィルタアセンブリ
５  空気清浄機
５１  ハウジング
５５  邪魔板
６  空気清浄機
【図１】
0003231783.tif 000003
【図２】
0003231783.tif 000004
【図３】
0003231783.tif 000005
【図４】
0003231783.tif 000006
【図５】
0003231783.tif 000007
【図６】
0003231783.tif 000008
【図７】
0003231783.tif 000009
【図８】
0003231783.tif 000010
【図９】
0003231783.tif 000011
【図１０】
0003231783.tif 000012
【図１１】
0003231783.tif 000013